(57)【要約】【課題】実行中のアプリケーションの情報を表示したまま、アイコンを選択することにより、別のアプリケーションに対応されたプログラムを実行できる携帯端末を提供すること。【解決手段】本発明に係る携帯端末１は、第１・第２の表示部３０、４０と、アプリケーションを実行するためのプログラムを記憶する記憶部１００と、プログラムを実行し、実行中のアプリケーション情報を第１の表示部３０に表示させ、プログラムに対応して設定されたアイコンを第２の表示部４０に表示させる制御部９０と、第１の表示部３０の表示情報に対して処理を行える第１モードと、第２の表示部４０に表示されるアイコンを選択できる第２モードとを切り替える切り替えスイッチ６０とを備え、切り替えスイッチ６０により第２モードに切り替えられアイコンが選択されたとき、制御部９０が対応するプログラムを実行する。【選択図】図２
2007207179.tif 000002
【特許請求の範囲】
【請求項１】
文字または画像の情報を表示する第１および第２の表示手段と、
アプリケーションを実行するための複数のプログラムを記憶する記憶部と、
上記複数のプログラムの少なくとも１つを実行し、この実行中のアプリケーションの情報を上記第１の表示手段に表示させると共に、上記複数のプログラムに対応して、予め設定された複数のアイコンを上記第２の表示手段に表示させる制御部と、
上記第１の表示手段に表示される情報に対して処理を行える第１のモードと、上記第２の表示手段に表示される上記複数のアイコンのうち、いずれかを選択できる第２のモードとを切り替える切り替えスイッチとを備え、
上記切り替えスイッチにより上記第２のモードに切り替えられ、上記アイコンが選択されたとき、上記制御部が、上記選択されたアイコンに対応するプログラムを実行することを特徴とする携帯端末。
【請求項２】
上記第１および第２の表示手段は、隣接して配置されていることを特徴とする請求項１に記載の携帯端末。
【請求項３】
電子メールを送受する無線部を更に備え、
上記記憶部には、上記電子メールに関する情報を上記第１の表示手段に表示させるプログラムが記憶されており、
上記複数のアイコンのうち、少なくとも１つは、上記電子メールに関する情報を上記第１の表示手段に表示させるプログラムに対応していることを特徴とする請求項１に記載の携帯端末。
【請求項４】
撮像する画像データを出力するカメラを更に備え、
上記記憶部には、上記カメラを作動させて、上記カメラが撮像する上記画像データを上記第１の表示手段に表示させるプログラムが記憶されており、
上記複数のアイコンのうち、少なくとも１つは、上記カメラを作動させて、上記カメラが撮像する上記画像データを上記第１の表示手段に表示させるプログラムに対応していることを特徴とする請求項１に記載の携帯端末。
【請求項５】
テレビ放送を受信するテレビ放送受信部を更に備え、
上記記憶部には、上記テレビ放送受信部を作動させて、上記テレビ放送受信部が受信する上記テレビ放送の画像を上記第１の表示手段に表示させるプログラムが記憶されており、
上記複数のアイコンのうち、少なくとも１つは、上記テレビ放送受信部を作動させて、上記テレビ放送受信部が受信する上記テレビ放送の画像を上記第１の表示手段に表示させるプログラムに対応していることを特徴とする請求項１に記載の携帯端末。
【発明の詳細な説明】
【技術分野】
【０００１】
この発明は、携帯端末に関し、例えば、第１および第２の表示手段を有する携帯端末に関する。
【背景技術】
【０００２】
近年、携帯電話機や携帯情報端末などの携帯端末の多くは、メール機能やインターネット接続機能やカメラ撮像機能や電話帳機能など多種類のアプリケーション機能を備えている。携帯端末の使用者に対してこれら多種類のアプリケーション機能を整理して提供するのに、多くの携帯端末において、アプリケーション機能を実行するためのショートカットアイコンが待ち受け画面上などに表示されるように設定されている。
【０００３】
例えば、携帯電話機などの電子機器の表示部の画面上に４つのアイコンが表示され、表示されたアイコンは電子機器をボタン操作等することで選択動作ができ、それぞれの表示アイコンに対応した所定の処理を実行する技術が開示されている（例えば、特許文献１）。
【特許文献１】特開２００５−３０１５３８号公報（図１）
【発明の開示】
【発明が解決しようとする課題】
【０００４】
しかしながら、特許文献１に記載の携帯端末をはじめとして、従来の携帯端末では、アプリケーション機能を実行するためのショートカットアイコンがひとたび選択されると、当該ショートカットアイコンに対応付けられたアプリケーションプログラムを実行し、このプログラムの実行結果のみを表示部に表示するだけであった。このため、あるアプリケーションプログラムを実行したまま、ショートカットアイコンを選択することにより、他のアプリケーションプログラムを実行することができなかった。
【課題を解決するための手段】
【０００５】
本発明に係る携帯端末は、文字または画像の情報を表示する第１および第２の表示手段と、アプリケーションを実行するための複数のプログラムを記憶する記憶部と、複数のプログラムの少なくとも１つを実行し、この実行中のアプリケーションの情報を第１の表示手段に表示させると共に、複数のプログラムに対応して、予め設定された複数のアイコンを第２の表示手段に表示させる制御部と、第１の表示手段に表示される情報に対して処理を行える第１のモードと、第２の表示手段に表示される複数のアイコンのうち、いずれかを選択できる第２のモードとを切り替える切り替えスイッチとを備え、切り替えスイッチにより第２のモードに切り替えられ、アイコンが選択されたとき、制御部が、上記選択されたアイコンに対応するプログラムを実行することを特徴とするものである。
【０００６】
このように、第１の表示手段に表示される情報に対して処理を行える第１のモードと、第２の表示手段に表示される複数のアイコンのうち、いずれかを選択できる第２のモードとを切り替える切り替えスイッチとを備え、切り替えスイッチにより第２のモードに切り替えられ、アイコンが選択されたとき、制御部が、上記選択されたアイコンに対応するプログラムを実行するので、実行中のアプリケーションの情報を表示したまま、アイコンを選択することにより、別のアプリケーションに対応されたプログラムを実行できる。
【発明の効果】
【０００７】
本発明により、実行中のアプリケーションの情報を表示したまま、アイコンを選択することにより、別のアプリケーションに対応されたプログラムを実行できる。
【発明を実施するための最良の形態】
【０００８】
発明の実施の形態．
本発明の実施の形態に係る携帯電話機の構成について、図に基づいて説明する。
図１は、本発明の実施の形態に係る携帯電話機の外観図である。
図１に示されるように、携帯端末としての携帯電話機１は第１の筐体１０と第２の筐体２０を有している。第１の筐体１０の内面には、第１および第２の表示部３０、４０が隣接して設けられている。また、第１の筐体１０の内面の端部には、スピーカ５０が設けられている。また、第１の筐体１０の側面には、切り替えスイッチ６０が設けられている。
【０００９】
また、図１に示されるように、第２の筐体２０の端部の内面にはマイク７０が設けられている。第２の筐体２０の内面には、操作部としての複数のキースイッチ８０が配列されている。
なお、第１および第２の筐体１０、２０は、その内面が互いに向かい合うように、ヒンジ（不図示）により、開閉可能に連結されている。
【００１０】
図２は、本発明の実施の形態に係る携帯電話機の回路構成を示すブロック図である。
図２に示されるように、本発明の実施の形態に係る携帯電話機１は、第１および第２の表示部３０、４０と、切り替えスイッチ６０と、キースイッチ８０と、制御部９０と、アプリケーション記憶部１００と、送受信部１０１と、アンテナ１０２と、テレビ放送受信部１０３と、テレビアンテナ１０４と、カメラ１０５と、スピーカ５０と、マイク７０とを備えている。
【００１１】
また、図２に示されるように、制御部９０には、ハードウエアドライバ９１と、アプリケーション制御部９２と、無線制御部９３と、テレビ受信制御部９４と、カメラ制御部９５と、音声制御部９６とが含まれている。制御部９０は、これら各部９１〜９５を統括して制御する。
第１および第２の表示部３０、４０はハードウエアドライバ９１に接続されている。第１および第２の表示部３０、４０には、ハードウエアドライバ９１および制御部９０の制御により、文字または画像の情報が表示される。第１の表示部３０には、アプリケーション記憶部１００に記憶されているプログラムをアプリケーション制御部１００および制御部９０により実行した際の当該実行中のアプリケーションに関する情報が表示される。
【００１２】
図３に示されるように、第２の表示部４０には、複数のモードに対応して、複数種類の表示がなされる。図３は、第２の表示部に表示される情報を示した模式図である。
図３に示されるように、メニューアイコンモード表示４０Ａの場合、第２の表示部４０には複数のアイコン５０が配列されて表示される。なお、各アイコン５０は、予めアプリケーション記憶部１００に記憶されているプログラムに対応されて設定されている。また、情報デロップモード表示４０Ｂの場合、第２の表示部４０には例えばメール受信情報などの情報デロップが表示される。また、イルミネーションモード表示４０Ｃの場合、第２の表示部４０には、背景色が予め設定された特定色になるようにイルミネーション表示がされる。
【００１３】
図２に示されるように、切り替えスイッチ６０はハードウエアドライバ９１に接続されており、ハードウエアドライバ９１および制御部９０の制御により、モードの切り替え動作をする。切り替えスイッチ６０は、第１の表示部３０に表示される情報に対して処理を行える第１のモードとしての通常モードと、第２の表示部４０に表示される複数のアイコンのうち、いずれかを選択できる第２のモードとしてのマルチウインドウモードとを切り替えるために設けられている。なお、通常モードとマルチウインドウモードは、メニューアイコンモードが設定されている間のみ、設定可能となる。
キースイッチ８０は、ハードウエアドライバ９１に接続されており、ハードウエアドライバ９１および制御部９０の制御により、制御される。
【００１４】
図２に示されるように、アプリケーション記憶部１００はアプリケーション制御部９２に接続されている。アプリケーション記憶部１００に記憶されている複数のプログラムは、アプリケーション制御部９２および制御部９０の制御により、実行される。
アプリケーション記憶部１００には、例えば、電子メール機能やカメラ機能やテレビ放送受信機能などのアプリケーションを実行するための複数のプログラムが予め記憶されている。
【００１５】
ここで、電子メール機能に関しては、電子メールに関する情報を第１の表示部３０に表示させるプログラムがアプリケーション記憶部１００に記憶されている。また、カメラ機能に関しては、カメラ１０５を作動させて、カメラ１０５が撮像する画像データを第１の表示部３０に表示させるプログラムがアプリケーション記憶部１００に記憶されている。また、テレビ放送受信機能に関しては、テレビ放送受信部１０３を作動させて、テレビ放送受信部１０３が受信するテレビ放送の画像を第１の表示部３０に表示させるプログラムがアプリケーション記憶部１００に記憶されている。ここで、各プログラムに対応したアイコン５０も合わせて、アプリケーション記憶部１００に記憶されている。
【００１６】
送受信部１０１は、無線制御部９３およびアンテナ１０２に接続されている。送受信部１０１は、無線制御部９３および制御部９０の制御により、他の携帯電話機やネットワークとの間で、メールや音声や画像などの情報を、アンテナ１０２を介して送受する。
テレビ放送受信部１０３は、テレビ放送受信制御部９４および制御部９０の制御により、テレビアンテナ１０４を介して、テレビ放送を受信する。
カメラ制御部９５とカメラ１０５とが接続されており、カメラ制御部９５および制御部９０はカメラ１０５を制御し、カメラ１０５が撮像する撮像データを取得する。
音声制御部９６にはスピーカ５０およびマイク７０が接続されており、音声制御部９６および制御部９０は、スピーカ５０及びマイク７０の音声に対して符号化や復号化処理を行う。
【００１７】
次に、本発明の実施の形態に係る携帯電話機の動作方法について、図に基づいて説明する。
まず、第２表示部の表示モードの設定方法について、図に基づいて説明する。図４は、第２の表示部の表示モードの設定手順を示すフロー図である。
図４に示されるように、まず、第２の表示部４０の表示モードを設定するためのマルチウインドウモード設定画面をキースイッチ８０の操作により開く（ステップ（ＳＴＥＰ：以下、ＳＴと称する）４０１）。このとき、第１の表示部３０には、図５に示されるような設定画面が表示される。
【００１８】
図５は、マルチウインドウモード設定画面を示す図である。ここで、第１の表示部３０には、「０．メニューアイコンモード」、「１．情報デロップモード」「２．イルミネーションモード」のうち、１つを選択可能に表示されている。図５では、「０．メニューアイコンモード」を選択している状態を表示している。
【００１９】
図４に示されるように、「０．メニューアイコンモード」を選択した場合（ＳＴ４０２）、メニューアイコン編集をする（ＳＴ４０３）。具体的には、アプリケーション記憶部に予め記憶されているアプリケーション機能のうち、第２の表示部４０にアイコン表示しようとアプリケーション機能をキースイッチ８０により選択して登録することができる。ＳＴ４０３の作業時には、図６に示されるようなメニューアイコンモード設定画面が第１の表示部３０に表示される。
【００２０】
図６は、メニューアイコンモード設定画面を示す図である。図６では、「０．電子メール作成」、「１．カメラ」、「２．ＴＶ」、「３．電子メール」および「４．インターネット」などのアプリケーション機能が登録されたときの第１の表示部３０の表示内容を示している。図６では、「０．電子メール作成」を選択している状態を表示している。なお、これら以外のアプリケーション機能を更に５．〜９．に登録することができる。
【００２１】
ＳＴ４０３でメニューアイコン編集を行った後に、アイコン画像を選択する（ＳＴ４０４）。具体的には、予めアプリケーション記憶部１００に登録されているアイコンをキースイッチ８０により選択し、この選択されたアイコンをＳＴ４０３で登録されたアプリケーション機能に対応させて登録する。この作業をＳＴ４０３で登録されたアプリケーション機能の全てに対して行う。そして、マルチウインドウモード設定が完了する。
【００２２】
図４に示されるように、ＳＴ４０２で「０．メニューアイコンモード」を選択せず、「１．情報デロップモード」をキースイッチ８０の操作により選択した場合（ＳＴ４０５）、図３に示されるような情報ドロップを第２の表示部４０に表示する設定がなされ、マルチウインドウモード設定が完了する。
また、図４に示されるように、ＳＴ４０２で「０．メニューアイコンモード」を選択せず、且つ、ＳＴ４０５で「１．情報デロップモード」を選択せず、「２．イルミネーションモード」をキースイッチ８０により選択した場合（ＳＴ４０６）、図３に示されるようなイルミネーション表示が第２の表示部４０にされる設定がなされ、マルチウインドウモード設定が完了する。
【００２３】
次に、本発明の実施の形態に係る携帯電話機の動作について、図に基づいて具体的に説明する。図７は、本発明の実施の形態に係る携帯電話機の動作のフロー図である。
まず、通常の表示状態においては、第２の表示部４０には何も情報表示されていない（ＳＴ７０１）。次に、メニューアイコンモードがキースイッチ８０の操作により選択された場合（ＳＴ７０２）、第１の表示部３０には、既に実行中のアプリケーションの情報が、アプリケーション制御部１００、ハードウエアドライバ９１および制御部９０の制御により表示され、第２の表示部４０には、アプリケーション記憶部１００に予め記憶された複数のアイコン５０が、アプリケーション制御部９２、ハードウエアドライバ９１および制御部９０の制御により図３の４０Ａのように表示される（図３のメニューアイコンモード表示４０Ａ）。なお、これら複数のアイコン５０は、図４のＳＴ４０４で予め所定のアプリケーション機能を実行するためのプログラムに対応して、アプリケーション記憶部１００に登録されている。
【００２４】
次に、切り替えスイッチ６０を第１のモードとしてのマルチウインドウモードに切り替えて、マルチウインドウモードをＯＮにすると（ＳＴ７０３）、マルチウインドウ操作状態となり、第２の表示部４０に表示中の複数のアイコンが、ハードウエアドライバ９１および制御部９０の制御に従ってキースイッチ８０の操作により選択可能となり（ＳＴ７０４）、アイコン選択待ち状態となる（ＳＴ７０５）。
【００２５】
次に、第２の表示部４０に表示されている複数のアイコン５０のうち、いずれかのアイコン５０がキースイッチ８０の操作により選択されると（ＳＴ７０６）、当該選択されたアイコン５０に対応するアプリケーション機能のプログラムがアプリケーション制御部９２および制御部９０の制御によりアプリケーション記憶部１００から読み込まれて、アプリケーション制御部９２および制御部９０により実行される（ＳＴ７０７）。そして、アプリケーション制御部９２が実行しているアプリケーションのプログラムの実行結果情報が、ハードウエアドライバ９１および制御部９０の制御により、第１の表示部３０に表示される（ＳＴ７０８）。
【００２６】
具体的には、電子メール機能に関するアイコン５０が選択されたときには（ＳＴ７０６）、電子メールに関する情報を第１の表示部３０に表示させるプログラムが、アプリケーション制御部９２によりアプリケーション記憶部１００から読み込まれて、当該プログラムがアプリケーション制御部９２および制御部９０の制御により実行される（ＳＴ７０７）。そして、電子メールに関する情報が、ハードウエアドライバ９１および制御部９０の制御により、第１の表示部３０に表示される（ＳＴ７０８）。
【００２７】
また、カメラ機能に関するアイコン５０が選択されたときには（ＳＴ７０６）、カメラ１０５を作動させて、カメラ１０５が撮像する画像データを第１の表示部３０に表示させるプログラムが、アプリケーション制御部９２によりアプリケーション記憶部１００から読み込まれて、当該プログラムがアプリケーション制御部９２および制御部９０の制御により実行される（ＳＴ７０７）。そして、カメラ１０５が撮像する画像データが、ハードウエアドライバ９１および制御部９０の制御により、第１の表示部３０に表示される（ＳＴ７０８）。
【００２８】
また、テレビ放送受信機能に関するアイコン５０が選択されたときには（ＳＴ７０６）、テレビ放送受信部１０３を作動させて、テレビ放送受信部１０３が受信するテレビ放送の画像を第１の表示部３０に表示させるプログラムが、アプリケーション制御部９２および制御部９０の制御によりアプリケーション記憶部１００から読み込まれて、当該プログラムが、アプリケーション制御部９２および制御部９０の制御により実行される（ＳＴ７０７）。そして、テレビ放送受信部１０３が受信するテレビ放送の画像が、ハードウエアドライバ９１および制御部９０の制御により、第１の表示部３０に表示される（ＳＴ７０８）。
【００２９】
ＳＴ７０３で、切り替えスイッチ６０を第２のモードとしての通常モードに切り替えて、マルチウインドウモードをＯＦＦにすると（ＳＴ７０３）、通常動作状態のままとなる。ここでの通常動作状態では、第２の表示部４０に複数のアイコン５０がキースイッチ８０により選択不可能な状態で表示され、第１の表示部３０には、既にアプリケーションのプログラムが実行されていた場合、当該アプリケーションのプログラムの実行結果情報が表示される。
【００３０】
ＳＴ７０２でメニューアイコンモードが選択されず、情報デロップモードがキースイッチ８０により選択された場合（ＳＴ７０９）、図３に示されるような情報ドロップが、ハードウエアドライバ９１および制御部９０の制御により、第２の表示部４０に表示される（図３の情報ドロップモード表示４０Ｂ）（ＳＴ７１０）。なお、情報デロップモードでは、送受信部１０１が、無線制御部９３および制御部９０の制御により、アンテナ１０２を介してインターネットに常時接続されており、逐次、第２の表示部４０の表示情報が更新される。
【００３１】
ＳＴ７０２でメニューアイコンモードが選択されず、且つ、ＳＴ７０９で情報デロップモードが選択されなかった場合、イルミネーションモードが設定され、図３に示されるイルミネーション表示が第２の表示部４０にされる（図３のイルミネーションモード表示４０Ｃ）（ＳＴ７１１）。
【００３２】
以上のように、第１の表示部３０に表示される情報に対して処理を行える通常モード（第１のモード）と、第２の表示部４０に表示される複数のアイコンのうち、いずれかを選択できるマルチウインドウモード（第２のモード）とを切り替える切り替えスイッチ６０とを備え、切り替えスイッチ６０によりマルチウインドウモード（第２のモード）に切り替えられ、アイコンが選択されたとき、制御部が、選択されたアイコンに対応するプログラムを実行するようにしたので、実行中のアプリケーションの情報を表示したまま、アイコンを選択することにより、別のアプリケーションに対応されたプログラムを実行できる。
【００３３】
また、第１および第２の表示部３０、４０を隣接させて配置したことにより、当該携帯電話機１の使用者は、視線を大幅に変えることなく、第１および第２の表示部３０、４０に表示されているアイコンや情報を同時に確認することができる。
以上の説明は、本発明の実施の形態を説明するものであり、本発明が以上の実施の形態に限定されるものではない。また、当業者であれば、以上の実施の形態の各要素を、本発明の範囲において、容易に変更、追加、変換することが可能である。
【図面の簡単な説明】
【００３４】
【図１】本発明の実施の形態に係る携帯電話機の外観図である。
【図２】本発明の実施の形態に係る携帯電話機の回路構成を示すブロック図である。
【図３】第２の表示部に表示される情報を示した模式図である。
【図４】第２の表示部の表示モードの設定手順を示すフロー図である。
【図５】マルチウインドウモード設定画面を示す図である。
【図６】メニューアイコンモード設定画面を示す図である。
【図７】本発明の実施の形態に係る携帯電話機の動作のフロー図である。
【符号の説明】
【００３５】
１  携帯電話機
１０  第１の筐体
２０  第２の筐体
３０  第１の表示部
４０  第２の表示部
５０  スピーカ
６０  切り替えスイッチ
７０  キースイッチ
８０  マイク
９０  制御部
９１  ハードウエアドライバ
９２  アプリケーション制御部
９３  無線制御部
９４  テレビ受信制御部
９５  カメラ制御部
９６  音声制御部
１００  アプリケーション記憶部
１０１  送受信部
１０２  アンテナ
１０３  テレビ放送受信部
１０４  テレビアンテナ
１０５  カメラ
【図１】
2007207179.tif 000003
【図２】
2007207179.tif 000004
【図３】
2007207179.tif 000005
【図４】
2007207179.tif 000006
【図５】
2007207179.tif 000007
【図６】
2007207179.tif 000008
【図７】
2007207179.tif 000009